(57)【要約】【課題】ベッドの枕元側にベッド使用者の身の回り品やリモートコントローラ等の小物を収納可能とすると便利であり、ベッドボード側に収納部を設けるための種々の提案が従来からなされている。しかし、従来のものでは、収納部が突出しているので、背床部が回動昇降するベッドの場合には、背床部と干渉して収納物が破損するという不都合が生じる場合がある。【解決手段】本発明では、薄箱状に形成したボード本体２の、ベッド内側の左右に、上下方向の有底の凹部３を形成し、凹部の底部側から上方に至る保持板４を設けて収納部５を構成することにより、患者等のベッド使用者の頭位置の両脇に収納部が配置されているので、寝ながらでも頭を横に向けて収納物を確認し、手を伸ばして収納物の出し入れを行って、収納物の使用を行うことができ、背床部等と干渉することもない。【選択図】図１
2010167009.tif 000002
【特許請求の範囲】
【請求項１】
薄箱状に形成したボード本体の、ベッド内側の左右に、上下方向の有底の凹部を形成し、凹部の底部側から上方に至る保持板を設けて収納部を構成したことを特徴とするベッドボード。
【請求項２】
薄箱状に形成したボード本体の、ベッド外側の中央部に有底の凹部を形成し、凹部の底部側から上方に至る保持板を設けて収納部を構成したことを特徴とする請求項１に記載のベッドボード。
【請求項３】
薄箱状に形成したボード本体の上部左右側に、側方部分と上方部分を有するグリップ部を形成し、上方部分はボード本体に対してベッド内側方向に屈曲させると共に、側方部分は、その上部が上方部分と共にベッド内側方向に突出するようにボード本体から傾斜させた構成としたことを特徴とするベッドボード。
【請求項４】
側方部分は、背床部の回動軌跡に沿った形状に傾斜させていることを特徴とする請求項３に記載のベッドボード。
【請求項５】
ボード本体の上側面とグリップ部の上方部分の上面は同一面上に配置したことを特徴とする請求項３又は４に記載のベッドボード。
【請求項６】
ボード本体の中央下部に把手部を設けたことを特徴とする請求項５に記載のベッドボード。
【発明の詳細な説明】
【技術分野】
【０００１】
本発明は、病院用ベッドや在宅介護ベッド等のヘッドボードやフットボード、即ち、ベッドボードに関するものである。
【背景技術】
【０００２】
ベッドの枕元側にベッド使用者の身の回り品やリモートコントローラ等の小物を収納可能とすると便利であり、ベッドボード側に収納部を設けるための種々の提案が従来からなされている。
【０００３】
例えば特許文献１では、ベッドのへッドボードに取り付けて、へッドボードのベッド内側に垂下させる基布に剛性をもたせ、その正面側に、ティッシュボックス収納体や物品収納用ポケットを設けた構成としている。
【先行技術文献】
【特許文献】
【０００４】
【特許文献１】特開２００５−１３１３６８号公報
【発明の概要】
【発明が解決しようとする課題】
【０００５】
上述した特許文献１のように、ヘッドボードのベッド内側に収納部を設ける従来のものでは、収納部が突出しているので、背床部が回動昇降するベッドの場合には、背床部と干渉して収納物が破損するという不都合が生じる場合がある。
【０００６】
一方、従来のベッドボードでは、患者等がベッド周囲を歩行する際、端部が身体や衣服、歩行補助具等と干渉を起こし易く、これを防ぐための対策や、歩行を補助する機能が付加されることが望まれている。
【０００７】
更に、近来、介護用ベッド等はレンタルで使用されることもあり、この場合、ベッドボードは、レンタル業者における保管などで部品として扱われることも多い。こうして、ベッドボードは、梱包状態における輸送や保管を効率的に行えるようにする他、梱包していない状態においても保管を省スペースで容易に行えることが望まれている。
本発明は、以上の課題を解決することを目的とするものである。
【課題を解決するための手段】
【０００８】
上述した課題を解決するために、本発明では、まず、薄箱状に形成したボード本体の、ベッド内側の左右に、上下方向の有底の凹部を形成し、凹部の底部側から上方に至る保持板を設けて収納部を構成したベッドボードを提案する。
【０００９】
また本発明では、上記の構成において、薄箱状に形成したボード本体の、ベッド外側の中央部に有底の凹部を形成し、凹部の底部側から上方に至る保持板を設けて収納部を構成したベッドボードを提案する。
【００１０】
また本発明では、薄箱状に形成したボード本体の上部左右側に、側方部分と上方部分を有するグリップ部を形成し、上方部分はボード本体に対してベッド内側方向に屈曲させると共に、側方部分は、その上部が上方部分と共にベッド内側方向に突出するようにボード本体から傾斜させた構成としたベッドボードを提案する。
【００１１】
また本発明では、上記の構成において、側方部分は、背床部の回動軌跡に沿った形状に傾斜させているベッドボードを提案する。
【００１２】
また本発明では、上記の構成において、ボード本体の上側面とグリップ部の上方部分の上面は同一面上に配置したベッドボードを提案する。
【００１３】
また本発明では、上記の構成において、ボード本体の中央下部に把手部を設けたベッドボードを提案する。
【発明の効果】
【００１４】
以上の構成において、まず、薄箱状に形成したボード本体の、ベッド内側の左右に、上下方向の有底の凹部を形成し、凹部の底部側から上方に至る保持板を設けて収納部を構成したベッドボードでは、患者等のベッド使用者の頭位置の両脇に収納部が配置されているので、寝ながらでも頭を横に向けて収納物を確認し、手を伸ばして収納物の出し入れを行って、収納物の使用を行うことができる。
【００１５】
収納部は、ボード本体のベッド内側の面から突出していないので、回動可能な背床部等との予期せぬ干渉等を防ぐことができる。
【００１６】
以上のようにボード本体のベッド内側の左右の収納部を使用するという観点からは、本発明のベッドボードは、ヘッドボードとしての使用に有効である。
【００１７】
上述したとおり、ボード本体は、薄箱状であるから、上述したようにベッド内側の左右に上下方向の有底の凹部を形成することに加えて、ベッド外側の中央部に有底の凹部を形成することができ、凹部の底部側から上方に至る保持板を設けて収納部を構成することができる。
【００１８】
従って、このベッドボードでは、ベッド外側に収納部を構成することができ、この収納部を使用するという観点からは、本発明のベッドボードは、フットボードとしての使用に有効である。
【００１９】
次に薄箱状に形成したボード本体の上部左右側に、側方部分と上方部分を有するグリップ部を形成し、上方部分はボード本体に対してベッド内側方向に屈曲させると共に、側方部分は、その上部が上方部分と共にベッド内側方向に突出するようにボード本体から傾斜させた構成としたベッドボードでは、グリップ部を患者等がベッド周囲を歩行する際につかまり易く、特に、つかまる個所を側方部分から上方部分へ、又は上方部分から側方部分へと連続的に変更していくことができるので、歩行が補助されて、安全な歩行を行うことができる。またグリップ部の側方部分はベッド内側方向に突出するようにボード本体から傾斜させた構成としているので、薄板状に構成されている従来のベッドボードのように、その端部に衣服が引っ掛かったり、身体や歩行補助器等と干渉する等の不都合を改善することができる。一方、グリップ部がベッド内側方向に屈曲していることにより、ベッドの側方に取り付けたサイドレールの端部との隙間を非常に狭くすることができ、その隙間への身体の挟まれを確実に防止することができる。
【００２０】
そしてグリップ部の側方部分は、背床部の回動軌跡に沿った形状に傾斜させた構成とすれば、ヘッドボードとしての使用において、回動昇降する背床部との干渉を防止することができる。
【００２１】
またボード本体の上側面とグリップ部の上方部分の上面は同一面上に配置すれば、ベッドボードの天地を逆にした状態において、ボード本体の上側面とグリップ部の上方部分により、ベッドボードを天地逆の状態で立設して支持することができる。そして、ボード本体の中央下部に把手部を設ければ、天地逆の状態でのベッドボードの移動を容易に行うことができる。
【００２２】
更にグリップ部は、その上方部分はボード本体に対してベッド内側方向に屈曲させると共に、側方部分は、その上部が上方部分と共にベッド内側方向に突出するようにボード本体から傾斜させた構成であるので、２つのボード本体の上下方向を逆にすると共に、ベッド内側を対向させれば、グリップ部の突出部分や、ボード本体のベッド内側の左右に配置しているベッド取付金具が干渉せずに薄く重ねることができ、この状態での効率的な保管や、梱包が可能となる。
【図面の簡単な説明】
【００２３】
【図１】図１は本発明に係るベッドボードの実施の形態の全体構成を示す図で、（ａ）は平面図、（ｂ）は正面図、（ｃ）は底面図、（ｄ）は右側面図、（ｅ）は背面図である。
【図２】図２は図１のベッドボードを正面側から見た斜視図である。
【図３】図３は図１のベッドボードを背面側から見た斜視図である。
【図４】図４は図３のＡ−Ａ線矢視図である。
【図５】図５は本発明に係るベッドボードをヘッドボードとして使用している状態を示す斜視図である。
【図６】図６は２つのベッドボードを重ねた状態を示す斜視図である。
【図７】図７は２つのベッドボードを重ねた状態を示す図で、（ａ）は平面図、（ｂ）は正面図、（ｃ）は右側面図である。
【図８】図８はベッドボードを天地逆にして床上に支持している状態を示す斜視図である。
【発明を実施するための形態】
【００２４】
次に本発明のベッドボードの実施の形態を添付図面を参照して説明する。
図において符号１は本発明に係るベッドボードを概括的に示すもので、このベッドボード１は、薄箱状に形成したボード本体２の、ベッド内側、即ち、図１における正面側の左右に、上下方向の有底の凹部３ａ，３ｂを形成し、凹部３ａ，３ｂの底部側から上方に至る保持板４を設けて収納部５ａ，５ｂを構成している。また、ベッド外側、即ち、図１における背面側の中央部に有底の凹部６を形成し、凹部６の底部側から上方に至る保持板７を設けて収納部８を構成している。このようにボード本体２は、薄箱状であるから、上述したようにベッド内側の左右に上下方向の有底の凹部３ａ，３ｂを形成することに加えて、ベッド外側の中央部に有底の凹部６を形成することができ、夫々保持板４，７を設けて収納部５ａ，５ｂ，８を設けることができる。
【００２５】
また、ボード本体２の上部左右側に、側方部分９ｓと上方部分９ｕを有するグリップ１０ａ，１０ｂ部を形成し、それらの上方部分９ｕはボード本体２に対してベッド内側方向に屈曲させると共に、側方部分９ｓは、その上部が上方部分９ｕと共にベッド内側方向に突出するようにボード本体２から傾斜させた構成としている。ここで、側方部分９ｓは、背床部（図示省略）の回動軌跡に沿った形状に傾斜させている。また、ボード本体２の上側面とグリップ部１０ａ，１０ｂの上方部分９ｕの上面は同一面上に配置しており、ボード本体２の上部、この実施の形態ではボード本体２の背面側の上部を把手部１１として構成している。更にベッドボード１の正面側の左右側下部には取付金具１２ａ，１２ｂを設けて、ベッドに取り付けるように構成している。取付金具１２ａ，１２ｂは詳細な構成を省略しているが、従来の適宜の取付金具を適用することができる。またボード本体２の正面側の中央下部に把手部１４を設けている。
【００２６】
以上の構成において、本発明のベッドボード１は、例えば図５に示すように、ベッド１３の頭側の端部に取り付けてヘッドボードとして使用することができると共に、ベッド１３の足側に取り付けてフットボードとして使用することもできる。図示は省略しているが、ベッド１３は、その背床部が回動昇降可能な構成である。
【００２７】
以上の構成において、本発明のベッドボードは、図５に示すようにヘッドボードとして使用している場合には、患者等のベッド使用者の頭位置の両脇に収納部５ａ，５ｂが配置されているので、寝ながらでも頭を横に向けて収納物を確認し、手を伸ばして収納物の出し入れを行って収納物の使用を行うことができる。
【００２８】
この際、収納部５ａ，５ｂは、ボード本体２のベッド内側の面から突出していないので、回動可能な背床部との予期せぬ干渉等を防ぐことができる。また、グリップ部１０ａ，１０ｂの側方部分９ｓは、背床部の回動軌跡に沿った形状に傾斜させた構成とすることにより、ヘッドボードとしての使用において、回動昇降する背床部との干渉を防止することができる。
【００２９】
上述したとおり、ボード本体２は、薄箱状であるから、上述したようにベッド内側の左右に上下方向の有底の凹部３ａ，３ｂを形成することに加えて、ベッド外側の中央部に有底の凹部６を形成することができ、この凹部６により収納部８を構成することができるので、特に、ベッドボードをフットボードとして使用している場合に、収納部８の有効利用を図ることができる。
【００３０】
更に本発明のベッドボードでは、ボード本体２の左右側に、側方部分９ｓと上方部分９ｕを有するグリップ部１０ａ，１０ｂを形成すると共に、上方部分９ｕはボード本体２に対してベッド内側方向に屈曲させ、そして側方部分９ｓは、その上部が上方部分９ｕと共にベッド内側方向に突出するようにボード本体２から傾斜させた構成としているので、グリップ部１０ａ，１０ｂを患者等がベッド周囲を歩行する際につかまり易い。特に、このグリップ部１０ａ，１０ｂは、つかまる個所を側方部分９ｓから上方部分９ｕへ、又は上方部分９ｕから側方部分９ｓへと連続的に変更していくことができるので、非常につかまり易く、歩行が補助されて、安全な歩行を行うことができる。
【００３１】
一方、グリップ部１０ａ，１０ｂの側方部分９ｓはベッド内側方向に突出するようにボード本体２から傾斜させた構成としているので、薄板状に構成されている従来のベッドボードのように、その端部に衣服が引っ掛かったり、身体や歩行補助器等と干渉する等の不都合を改善することができる。一方、グリップ部１０ａ，１０ｂがベッド内側方向に屈曲していることにより、ベッド１３の側方に、取付部材１５により取り付けたサイドレール（図示省略）の端部との隙間を非常に狭くすることができ、その隙間への身体の挟まれを確実に防止することができる。
【００３２】
またこの実施の形態では、ボード本体２の上側面とグリップ部１０ａ，１０ｂの上方部分の上面は同一面上に配置しているので、図８に示すように、ベッドボード１の天地を逆にした状態において、ボード本体２の上側面とグリップ部１０ａ，１０ｂの上方部分９ｕにより、ベッドボード１を天地逆の状態で立設して支持することができる。そして、ボード本体２の中央下部には把手部１４を設けているので、天地逆の状態でのベッドボード１の移動を容易に行うことができる。
【００３３】
更にグリップ部１０ａ，１０ｂは、その上方部分９ｕをボード本体２に対してベッド内側方向に屈曲させると共に、側方部分９ｓは、その上部が上方部分９ｕと共にベッド内側方向に突出するようにボード本体２から傾斜させた構成であるので、図６及び図７に示すように、２つのボード本体２の上下方向を逆にすると共に、ベッド内側を対向させれば、グリップ部１０ａ，１０ｂの突出部分や、ボード本体２のベッド内側の左右に配置しているベッド取付金具１２ａ，１２ｂが干渉せずに薄く重ねることができ、この状態での効率的な保管や、梱包が可能となる。
【産業上の利用可能性】
【００３４】
本発明のベッドボードは、以上の実施の形態に示すように、病院用ベッドや在宅介護ベッド等のヘッドボードやフットボードのいずれにも使用できるように構成する他、ヘッドボード又はフットボード専用として構成することもできるものである。
【符号の説明】
【００３５】
１                    ベッドボード
２                    ボード本体
３ａ，３ｂ，６        凹部
４，７                保持板
５ａ，５ｂ，８        収納部
９ｓ                  側方部分
９ｕ                  上方部分
１０ａ，１０ｂ        グリップ部
１１                  把手部
１２ａ，１２ｂ        取付金具
１３                  ベッド
１４                  把手部
１５                  取付部材
【図１】
2010167009.tif 000003
【図２】
2010167009.tif 000004
【図３】
2010167009.tif 000005
【図４】
2010167009.tif 000006
【図５】
2010167009.tif 000007
【図６】
2010167009.tif 000008
【図７】
2010167009.tif 000009
【図８】
2010167009.tif 000010